(57)【特許請求の範囲】
【請求項１】
ホース挿通孔を有するホースホルダーを取付け基部の孔に取付けて取付け基部の前方に突出させ、該ホースホルダーに着脱被係止部を設け、後端部に着脱係止部を有するホースジョイントに、ホースジョイントの主体を構成する筒部の内部に抜け止め部を突設し、前端部に外面側に突出する抜け止め用突部を有するシャワーホースをホースジョイントの筒部に前方より挿通して抜け止め用突部を抜け止め部の前面に当接し、シャワーヘッドの後面側に開口する後開口部内にホースジョイントを嵌め込み、シャワーヘッド内に設けた水路部をシャワーホースの先端部に連通接続して、ホースジョイントに、シャワーホースの先端部を取付けると共に該シャワーホースをホースホルダーに引き出し自在に挿通して取付け基部の背方に導出し、該シャワーホースの先端部を取付けたホースジョイントをシャワーヘッドの後開口部に嵌め込んで非ネジ式の取付け手段で取付け、着脱係止部を着脱被係止部に着脱自在に係止することでシャワーヘッドに取付けたホースジョイントをホースホルダーに着脱自在に保持して成ることを特徴とするシャワーヘッドの取付け構造。
【請求項２】
ホースジョイントの主体を構成する筒部の外周部に嵌め込み溝部を設け、シャワーヘッドにホースジョイントの嵌め込み溝部と連通する差込口を設け、差込口から止具を挿入して止具を嵌め込み溝部に嵌め込むと共に止具の端部を差込口に嵌め込んで成ることを特徴とする請求項１記載のシャワーヘッドの取付け構造。
【請求項３】
ホースジョイントに嵌め込み溝部を跨ぐように被係入部を設け、止具の先端部に設けた爪を被係入部に着脱自在に係入して成ることを特徴とする請求項２記載のシャワーヘッドの取付け構造。
【請求項４】
止具の端部にドライバーの先端を差し込むことができる溝を形成して、溝にドライバーを差し込んで止具を取り外し自在として成ることを特徴とする請求項２又は請求項３記載のシャワーヘッドの取付け構造。
【発明の詳細な説明】
【技術分野】
【０００１】
本発明は、シャワーヘッドの取付け構造に関するものである。
【背景技術】
【０００２】
従来シャワーホースの先端部にシャワーヘッドを接続するには、通常、シャワーホースの先端部にシャワーヘッドをネジ式で取付けることで接続していた。このネジ式の取付けはトルクの管理が必要で、組付け性が悪かった。
【０００３】
そこで、シャワーホースの先端部にシャワーヘッドを係止などの被ネジ式で取付けることが特許文献１などにより提案されている。このものはトルクの管理が必要でなく、組付け性もよく、更に、メンテナンスなどの際にシャワーヘッドをシャワーホースの先端部から簡単に取り外すことができるという特徴を有している。
【０００４】
また、洗面化粧台などにシャワーヘッドを設ける場合、洗面化粧台のシャワーヘッドを取付ける取付け基部の孔に連通するように取付け基部の前面に筒状のホースホルダーを突設し、ホースホルダー内に挿通したシャワーホースの先端部にシャワーヘッドを取付け、シャワーヘッドを手前に引き出して使用できるようになっているが、このものにおいては、シャワーヘッドを引き出さない時には、シャワーヘッドをホースホルダーの前面に当接した位置に後退させることで通常の吐水部として使用するようになっている。
【０００５】
ところが、従来にあってはシャワーヘッドをホースホルダーの前面に当接しているだけであり、シャワーヘッドの支持が安定せず、不用意に傾いたり、前方にずれたりする。このため、シャワーヘッドを後退させて通常の吐水部として利用する際に、シャワーヘッドからの吐水の方向が安定しないという問題がある。
【０００６】
このため、シャワーヘッドとホースホルダーとを着脱自在な係止手段で係止自在としてシャワーヘッドの保持を安定させることが考えられるが、シャワーヘッドは筒で手で掴んで持つ必要があるため、外面側に係止手段を形成すると手で掴むのに邪魔になり、更に、係止手段を破損する恐れがある。そこで、シャワーヘッドの後端面側に係止手段を形成することが考えられるが、これだと、シャワーヘッドがＬ状又はへ字状をした筒であるため、後端面の開口部に係止手段を形成することはアンダーカット部分ができたりするため成形上の制約が大きく、非常に困難である。
【特許文献１】特開２００１−３１１１８８号公報
【発明の開示】
【発明が解決しようとする課題】
【０００７】
本発明は上記の従来の問題点に鑑みて発明したものであって、シャワーヘッドとシャワーホースを簡単に組み立て、分解ができ、また、シャワーヘッドをホースホルダーに安定して保持することができるシャワーヘッドの取付け構造を提供することを課題とするものである。
【課題を解決するための手段】
【０００８】
上記課題を解決するために本発明に係るシャワーヘッドの取付け構造は、ホース挿通孔７３を有するホースホルダー２３を取付け基部Ａの孔２２に取付けて取付け基部Ａの前方に突出させ、該ホースホルダー２３に着脱被係止部６０を設け、後端部に着脱係止部６１を有するホースジョイント６３に、ホースジョイント６３の主体を構成する筒部６４の内部に抜け止め部６２を突設し、前端部に外面側に突出する抜け止め用突部６６を有するシャワーホース１７をホースジョイント６３の筒部６４に前方より挿通して抜け止め用突部６６を抜け止め部６２の前面に当接し、シャワーヘッド１８の後面側に開口する後開口部内にホースジョイント６３を嵌め込み、シャワーヘッド１８内に設けた水路部６９をシャワーホース１７の先端部に連通接続して、ホースジョイント６３に、シャワーホース１７の先端部を取付けると共にシャワーホース１７を筒状のホースホルダー２３に引き出し自在に挿通して取付け基部Ａの背方に導出し、該シャワーホース１７の先端部を取付けたホースジョイント６３をシャワーヘッド１８の後開口部に嵌め込んで非ネジ式の取付け手段で取付け、着脱係止部６１を着脱被係止部６０に着脱自在に係止することでシャワーヘッド１８に取付けたホースジョイント６３をホースホルダー２３に着脱自在に保持して成ることを特徴とするものである。
【０００９】
このような構成とすることで、前端部に外面側に突出する抜け止め用突部６６を有するシャワーホース１７をホースジョイント６３の筒部６４に前方より挿通して抜け止め用突部６６を抜け止め部６２の前面に当接し、シャワーヘッド１８の後面側に開口する後開口部内にホースジョイント６３を嵌め込み、シャワーヘッド１８内に設けた水路部６９をシャワーホース１７の先端部に連通接続することで、シャワーホース１７の先端を非ネジ式でホースジョイント６３に抜けないように取付けることができる。更に、シャワーホース１７の先端に取付けたホースジョイント６３をシャワーヘッド１８の後開口部に嵌め込んで非ネジ式で取付けることができる。このように、トルクの管理を必要とすることなく、シャワーホース１７の先端部をホースジョイント６３を介してシャワーヘッド１８の後端部に組付けることができると共に、簡単に分解してメンテナンスなどを行うことができ、しかも、後端部に着脱係止部６１を形成したホースジョイント６３をシャワーヘッド１８の後開口部に嵌め込んで取付けるので、シャワーヘッド１８の後端面部に着脱係止部６１を設けることができ、この着脱係止部６１を取付け基台Ａの前面に突設して設けてホースホルダー２３の着脱被係止部６０に係止することで、シャワーヘッド１８をホースホルダー２３に支持させて、シャワーヘッド１８を通常の吐水部として使用する位置で正しい姿勢に保持でき、通常の吐水部として使用する際の吐水の方向が安定し、使用性が向上する。
【００１０】
また、ホースジョイント６３の主体を構成する筒部６４の外周部に嵌め込み溝部６５を設け、シャワーヘッド１８にホースジョイント６３の嵌め込み溝部６５と連通する差込口７０を設け、差込口７０から止具７１を挿入して止具７１を嵌め込み溝部６５に嵌め込むと共に止具７１の端部を差込口７０に嵌め込むことが好ましい。
【００１１】
このような構成とすることで、シャワーホース１７が抜けないように取付けたホースジョイント６３をシャワーヘッド１８の後面側に開口する後開口部内に嵌め込んで、止具７１を嵌め込み溝部６５に嵌め込むと共に止具７１の端部を差込口７０に嵌め込むことで、ホースジョイント６３とシャワーヘッド１８との結合が非ネジ式により簡単にでき、また、止具７１を抜き取ることで、簡単に分解できる。
【００１２】
また、ホースジョイント６３に嵌め込み溝部６５を跨ぐように被係入部７２を設け、止具７１の先端部に設けた爪７１ａを被係入部７２に着脱自在に係入することが好ましい。
【００１３】
このような構成とすることで、止具７１が嵌め込み溝部６５から不用意に外れるのが防止できる。
【００１４】
また、止具７１の端部にドライバーの先端を差し込むことができる溝５９を形成して、溝５９にドライバーを差し込んで止具７１を取り外し自在とすることが好ましい。
【００１５】
このような構成とすることで、止具７１を抜き取って分解する際、溝５９にドライバーの先端を差し込んで簡単に止具７１を抜き取ることができる。
【発明の効果】
【００１６】
本発明は、上記のように、ホースホルダーへのシャワーホースの先端部の取付け、ホースホルダーのシャワーヘッドへの取付けをいずれも非ネジ式で取付けるので、従来のようにトルクの管理が必要でなく、組み立て、分解が簡単にでき、しかも、後端部に着脱係止部を形成したホースジョイントをシャワーヘッドの後開口部に嵌め込んで取付けるので、シャワーヘッドの後端面部に着脱係止部を設けることができ、この着脱係止部を取付け基台の前面に突設して設けてホースホルダーの着脱被係止部に係止することで、シャワーヘッドをホースホルダーに安定して保持でき、シャワーヘッドを通常の吐水部として使用する際の吐水の方向が安定し、使用性が向上する。
【発明を実施するための最良の形態】
【００１７】
以下、本発明を添付図面に示す実施形態に基いて説明する。
【００１８】
添付図面に示した実施形態においては、シャワーホース１７の先端に取付けたシャワーヘッド１８を洗面化粧台５に設けた取付け基部Ａから前方に引き出し自在に取付けた例が示してある。
【００１９】
洗面化粧台５は、図４、図５に示すように、洗面キャビネット６と、ミラーキャビネット４とを組み合わせて構成してある。
【００２０】
洗面キャビネット６は下部キャビネット７の上開口部に洗面ボウル８を載設して取付けることで構成してある。
【００２１】
洗面ボウル８は図１３に示すように合成樹脂や陶器成の一体成形物で、ボウル部１の後端部にボウル部１と一体に立ち上がり壁部２を上方に向けて突出することで構成してある。
【００２２】
ボウル部１は、上面の前端部、左右端部がそれぞれ巾の狭い平面視コ字状をした外周縁部９となっており、平面視で上記外周縁部９と立ち上がり壁部２に囲まれた部分が下方に凹設してあり、該凹設部１０は、平面視で底部１１となる領域と、傾斜前内壁１２となる領域と、棚部１３となる領域とに区分けされる。
【００２３】
底部１１となる領域は凹設部１０の過半を占めるもので、凹設部１０の中央部の全巾及び後部の左右隅部分を除く部分に底部１１形成され、この底部１１の後端部の左右方向の中間部に排水部１４を設け、更に、この底部１１は僅かに排水部１４側に向けて下り傾斜しているが、物を置いた際に倒れないように略フラットとなっている。
【００２４】
凹設部１０の前部は左右方向の全巾にわたって上記略フラットとなった底部の前端から始まって外周縁部９の前端部にかけて前に行くほど上となるように上り傾斜した傾斜前内壁１２となっていている。
【００２５】
棚部１３は凹設部１０の後部の左右両側の隅部に設けられて平面視略直角三角形状をしており、棚部１３の上面は外周縁部９よりも少し下方に下がった位置となっていて濡れた小物を載置することができるようになっている。
【００２６】
凹設部１０の後内壁１５は底部１１の後端縁及び棚部１３の後端縁から上方に垂直に突出してあって、少なくとも前面が垂直面となっている。
【００２７】
立ち上がり壁部２はボウル部１の後端部から左右方向の全巾にわたって上方に向けて一体に突出してあり、立ち上がり壁部２の前面は垂直面で上記ボウル部１の凹設部１０の後内壁１５の前面と面一に連続している。ここで、後内壁１５の前面を上ほど僅かに後ろとなるように僅かに後傾の面としてもよく、この場合は、立ち上がり壁部２の前面も僅かに後傾の面として立ち上がり壁部２の前面と後内壁１５の前面と面一に連続させる。
【００２８】
立ち上がり壁部２の背面部には下方及び背方に開口する凹所１６が設けてあり、立ち上がり壁部２の上端面は水平面となっていて後述のミラーキャビネット４の下面部の後端部を載設する部分となっている。
【００２９】
この立ち上がり壁部２は取付け基部Ａとなっていて前面部の上端にはシャワーヘッド１８が引き出し自在に取付けられる。
【００３０】
取付け基部Ａである立ち上がり壁部２の上端に設けた孔２２部分にホースホルダー２３が装着してある。ホースホルダー２３は図６に示すような形状をしていて、前後に貫通したホース挿通孔７３を設けてあり、このホース挿通孔７３は、シャワーホース１７を引き出し易いように前端から後端に行くほど次第に孔径が大きくなっている。ホースホルダー２３の後部外周には雄ネジ部７４が設けてあり、前部に角筒部７５が設けてあり、角筒部７５の前面部に嵌め込み用突部７６が設けてあり、この嵌め込み用突部７６の外面部に凹み７７が形成してあり、該凹み７７に着脱被係止部６０が設けてある。また、角筒部７５には上端がホース挿通孔７３に連通し且つ下端が角筒部７５の下面に開口した水抜き孔７８が形成してある。
【００３１】
上記の構成のホースホルダー２３の雄ネジ部７４を立ち上がり壁部２の上端に設けた孔２２に前方より挿入して雄ネジ部７４にナット７９を螺合することで図１に示すように立ち上がり壁部２の上端に設けた孔２２部分にホースホルダー２３を装着するようになっている。
【００３２】
ホースホルダー２３の後端には立ち上がり壁部２の背面部の凹所１６内に配置したホースチューブ２４の先端が接続してある。
【００３３】
変形性を有するシャワーホース１７の先端部には接続筒部８０が設けてあり、この接続筒部８０の外周部にはＯリングが装着してある。また、接続筒部８０の外周部のＯリングを設けた部位よりも後方位置に抜け止め用突部６６が外方に向けて突設してある。
【００３４】
ホースジョイント６３は図７に示すようなもので、主体を構成する筒部６４の外周部に周方向にわたる角型突出部８１を軸方向に複数個突設してあり、筒部６４の外周部の後部の角型突出部８１と中間の角型突出部８１との間が嵌め込み溝部６５となっている。また、後部の角型突出部８１と中間の角型突出部８１との間に嵌め込み溝部６５を跨ぐように被係入部７２が掛け渡してある。筒部６４の内周面には抜け止め部６２が突設してあり、この抜け止め部６２の中央部にはシャワーホース１７の外径とほぼ同じ大きさの径の中央孔８４が設けてある。また、後部の角型突出部８１は筒部６４の後端部よりも後方に突出していて該角型突出部８１の後方への突出部分の内周部が上記ホースホルダー２３の前端面に設けた嵌め込み用突部７６に嵌め込み自在となった嵌め込み凹部８２となっている。この嵌め込み凹部８２には後方に向けて一対の弾性を有する着脱係止部６１が突設してあり、この着脱係止部６１の突出先端は嵌め込み凹部８２の後開口から後方に飛び出さないようになっている。更に、後部の角型突出部８１の下面部の中央部には前端から２条の切り込みが形成してあって切り込み間に弾性を有する引掛け部６７が形成してある。
【００３５】
このホースジョイント６３の筒部６４に、図８（ａ）のようにして上記先端部に抜け止め用突部６６を設けたシャワーホース１７を前方より挿通して図８（ｂ）のように抜け止め用突部６６を抜け止め部６２の前面に当接すると共にシャワーホース１７の先端部の接続筒部８０が中央孔８４にほぼぴたりと嵌り込んで位置決め保持されることでホースジョイント６３がシャワーホース１７から抜けないように非ネジ式で取付けられる。
【００３６】
そして、このシャワーホース１７の先端部に抜けないように取付けたホースジョイント６３をシャワーヘッド１８後面側に開口する後開口部内に嵌め込んで非ネジ式で取付ける。
【００３７】
すなわち、図９に示すように、シャワーヘッド１８は内部に水路部６９となる筒状部８３が設けてあり、ホースジョイント６３をシャワーヘッド１８後面側に開口する後開口部内に嵌め込んだ状態で、水路部６９となる筒状部８３の後端部内にシャワーホース１７の先端部の接続筒部８０がオーリングを介して水密的に嵌め込まれて連通接続され、抜け止め部６２の前面に当接している抜け止め用突部６６の前面に筒状部８３の後端が当接する。また、ホースジョイント６３をシャワーヘッド１８後面側に開口する後開口部内に嵌め込むと、ホースジョイント６３に設けた引掛け部６７をシャワーヘッド１８に設けた被引掛け部６８に引掛けられる。
【００３８】
次に、ホースジョイント６３を上記のようにシャワーヘッド１８の後開口部内に嵌め込んだ状態で、シャワーヘッド１８の後部下面に設けた差込口７０が嵌め込み溝部６５に連通するので、差込口７０から止具７１を挿入して、該止具７１を嵌め込み溝部６５に嵌め込むと共に止具７１の端部を差込口７０に嵌め込む。
【００３９】
止具７１は図９、図１１に示すように、二股形状をしていて二股部分の各先端部に爪７１ａが設けてあり、止具７１の二股形状をした部分をそれぞれ筒部６４の両側の嵌め込み溝部６５に嵌め込んで各先端の爪７１ａをそれぞれ図１０に示すように被係入部７２に弾性的に着脱自在に係止してある。
【００４０】
このように、シャワーホース１７をホースジョイント６３に挿通するだけでシャワーホース１７がホースジョイント６３から抜けないように取付けることができ、このシャワーホース１７が抜けないように取付けたホースジョイント６３をシャワーヘッド１８の後面側に開口する後開口部内に嵌め込んで、引掛け部６７を被引掛け部６８に引掛け、止具７１を嵌め込み溝部６５に嵌め込むと共に止具７１の端部を差込口７０に嵌め込むことで、２重にホースジョイント６３とシャワーヘッド１８との結合が被ネジ式により簡単にできる。
【００４１】
止具７１は差込口７０から飛び出さないように嵌め込まれ、使用時にシャワーヘッド１８を手で掴んで引き出したり、後方に向けて押し込んだりする際に止具７１が邪魔にならないようになっている。この止具７１の端部にはドライバーの先端を差し込むことができる溝５９を形成してあり、止具７１を取り外す際は、溝５９にドライバーを差し込んで止具７１を引き抜くことで、被係入部７２から爪７１ａを外して止具７１を取り外すことができる。このように止具７１を取り外し、更に、引掛け部６７と被引掛け部６８との引掛けを外すことで、シャワーヘッド１８からホースジョイント６３を取り外して分解ができるようになっている。
【００４２】
このように非ネジ式でホースジョイント６３を介してシャワーヘッド１８に先端部を取付けたシャワーホース１７は、ホースホルダー２３のホース挿通孔７３に引き出し自在に挿通してあり、更に、該シャワーホース１７はホースホルダー２３に接続した立ち上がり壁部２の背面部の凹所１６内に配置したホースチューブ２４内に移動自在に挿通してある。このシャワーホース１７の後部はホースチューブ２４から出て上記凹所１６又は下部キャビネット７内に配置した給水用の配管に接続してある。
【００４３】
シャワーヘッド１８はホースジョイント６３の後端部に設けた嵌め込み凹部８２を、図１に示すように、取付け基部Ａの前面に取付けたホースホルダー２３の前面部に設けた嵌め込み用突部７６に抜き取り自在に嵌め込まれる。このように嵌め込み凹部８２を嵌め込み用突部７６に嵌め込んだ状態で、着脱係止部６１が着脱被係止部６０に着脱自在に係止される。したがって、シャワーヘッド１８をホースジョイント６３の前面側に位置させた姿勢を保持してシャワーヘッド１８が傾いたり、前に抜け落ちたりすることがなく、シャワーヘッド１８から吐出される吐水の方向を一定に保持できる。
【００４４】
一方、シャワーヘッド１８を手で掴んで手前に引き出すことで、図３示すように、着脱係止部６１と着脱被係止部６０との係止が解除され、嵌め込み凹部８２が嵌め込み用突部７６から抜けるので、シャワーヘッド１８を引き出して使用することができる。
【００４５】
このようにシャワーヘッド１８を保持状態から引き出し自在とすることを可能とするためシャワーホース１７は途中に余裕を持たせて弛ませてある。
【００４６】
シャワーホース１７の先端部に水が付着した場合、ホースホルダー２３に設けた水抜き孔７８からボウル部１内に排水される。
【００４７】
なお、シャワーヘッド１８は図１２に示すように、後部が縦断面略四角形状をした四角筒部２５となっており、シャワーヘッド１８の前部が上記四角筒部２５の前端から前下方に向けて傾斜した傾斜筒部２６とし、傾斜筒部２６は横幅が四角筒部２５の横幅よりも広く且つ断面円形に形成してある。上記ホースホルダー２３の立ち上がり壁部２の前面から突出した部分の上面及びシャワーヘッド１８の上面は水平上面２０となっており、図１に示すように、シャワーヘッド１８の後端部をホースホルダー２３の前面側に位置させて保持した状態でシャワーヘッド１８の水平上面２０とホースホルダー２３の角筒部７５の水平上面２０とが略面一となるようになっており、この水平上面２０は立ち上がり壁部２の上端面よりも僅かに低い位置に位置している。この場合水平上面２０から立ち上がり壁部２の上端面までの寸法は、立ち上がり壁部２の上端面に後述のようにミラーキャビネット４の下面部後端を載置した状態で、シャワーヘッド１８を手指で掴んで引き出すことができるように、シャワーヘッド１８の水平上面２０とミラーキャビネット４の下面部との間に手指が差し込むことができる寸法となっている。
【００４８】
傾斜筒部２６の先端面には吐出口２７が設けてあって、この吐出口２７から斜め前下方に向けて吐水するようになっており、図１６のようにシャワーヘッド１８をホースホルダー２３の前面側に保持させた状態において、吐出口２７からの吐水方向は、ボウル部１の凹設部１０の底部１１の前端と上り傾斜した傾斜前内壁１２の後端との境界部分に吐水の中心が向かうように設定してあって、吐水を傾斜前内壁１２と底部１１とに沿って分散して流して広げ、吐水の水跳ねを効果的に抑制し、また、一方の面にのみ全吐水が流れることによる凹設部１０からの溢れを防止することができるようになっている。
【００４９】
ここで、シャワーヘッド１８としては吐出口２７から直流吐水とシャワー吐水との切り替えができるようになった構造のものを用いることができる。
【００５０】
また、図１３に示すように立ち上がり壁部２の前面部の上端には更に吐水・止水操作部３が設けてある。この吐水・止水操作部３は、立ち上がり壁部２の前面上端部に取付けた操作部本体５０と、立ち上がり壁部２の前面側において操作部本体５０に被せた外郭ケース５１と、外郭ケース５１の前面側に配置して上端部を操作部本体５０の前端部に取付けた操作レバー５２とで構成してあり、操作レバー５２を操作することで吐出口２７に連通する水路に設けた弁（図示せず）を操作して吐出口２７からの吐水、止水、吐水時における流量調整、及び湯温調整を行うようになっており、実施形態では操作レバー５２を前後方向に回動することで、吐水、止水と、吐水時における流量調整を行い、操作レバー５２を左右方向に回動することで湯温調整を行うようになっている。
【００５１】
上記外郭ケース５１は上面が水平上面２０、両側面が垂直面、下面が半円状をしており、水平上面２０は立ち上がり壁部２の上端面と同一高さとなっている。また、操作レバー５２の下端部は外郭ケース５１の前面の下端より下方に突出している。
【００５２】
また、立ち上がり壁部２の前面から操作レバー５２の前端までの寸法は、立ち上がり壁部２の前面からシャワーヘッド１８をホースホルダー２３の前面に保持させた状態におけるシャワーヘッド１８の前端までの寸法と同じか短い寸法となっている。
【００５３】
ミラーキャビネット４の上部に照明部３０を設けてある。
【００５４】
このミラーキャビネット４は、キャビネット本体２８の上端部を除く大部分が収納用キャビネット部２８ａとなっており、上端部が照明用キャビネット部２８ｂとなっており、このキャビネット本体２８は合成樹脂の一体成形により形成してある。収納用キャビネット部２８ａの前面部にはミラー３２が開閉自在に取付けてあり、また、照明用キャビネット部３０の前面部には照明カバー３３が取付けてある。
【００５５】
ミラー３２は閉じた状態で収納用キャビネット部２８ａに設けた前方に開口した収納部を覆っており、ミラー３２を回動して開くことで、収納部を開口することができる。
【００５６】
照明用キャビネット部２８ｂにはランプを含む照明器具本体が内装されると共に、前面部に照明カバー３３が着脱自在に取付けられ、該照明カバー３３の前面がミラー３２の前面と面一又は略面一となっている。
【００５７】
上記の構成のミラーキャビネット４は下端面部（キャビネット本体２８）の後端を、図４、図５に示すように、洗面キャビネット６の上部に設けた洗面ボウル８の後端部に一体に突設した立ち上がり壁部２の上端面に載設して、ミラーキャビネット４のキャビネット本体２８の背面部を建物の壁に固定する。
【００５８】
このようにミラーキャビネット４は下端面部の後端を立ち上がり壁部２の上端面に載設して取付けると、立ち上がり壁部２の前面部の上端に設けたシャワーヘッド１８は、ホースホルダー２３の前面側に位置させて保持させた状態では、立ち上がり壁部２とミラーキャビネット４の下面部とのなすコーナ部分に位置し、且つシャワーヘッド１８の前端がミラーキャビネット４の前端よりも後方にずれて後退して位置している。
【００５９】
したがって、洗面化粧台５の前方に立っている使用者（この場合、使用者の顔の位置がミラー３２に対向した位置となっている）からは、立ち上がり壁部２とミラーキャビネット４の下面部とのなすコーナ部分に位置し且つミラーキャビネット４の前端よりも後方にずれて位置しているシャワーヘッド１８が、ミラーキャビネット４の下端に隠れて目立ち難くなり、外観がすっきりしてよくなる。
【００６０】
また、立ち上がり壁部２の前面部の上端に設けた吐水・止水操作部３の突出基部である外郭ケース５１も立ち上がり壁部２とミラーキャビネット４の下面部とのなすコーナ部分に位置し且つミラーキャビネット４の前端よりも後方にずれて位置しており、したがって、洗面化粧台５の前方に立っている使用者（この場合、使用者の顔の位置がミラー３２に対向した位置となっている）からは、外郭ケース５１がミラーキャビネット４の下端に隠れて目立ち難くなり、この点でも外観がすっきりしてよくなる。
【００６１】
ここで、図２に示すように、ミラーキャビネット４の下面とシャワーヘッド１８の水平上面２０との間には隙間が形成されるが、この隙間は手指を差し入れることができる程度の僅かな隙間であるため、外部から殆ど見えないようになっていると共に、シャワーヘッド１８は引き出しに支障がないという条件下で最大限立ち上がり壁部２の前面の上端に位置するように取付けることができる。
【００６２】
シャワーヘッド１８を手指で掴んで手前に引き出して使用する際、シャワーヘッド１８の前部の傾斜筒部２６を手で掴んで手前に引き出すのであるが、この時、手指の一部をシャワーヘッド１８の水平上面２０とミラーキャビネット４の下面との間に差し込むことも可能で、したがって、しっかりとシャワーヘッド１８の前部の傾斜筒部２６を手で掴んで引き出すことができる。しかも傾斜筒部２６の横幅が四角筒部２５の横幅が四角筒部２５の横幅よりも広く且つ断面円形に形成してあるので、確実に傾斜筒部２６を掴むことができる。
【００６３】
上記のように、立ち上がり壁部２を上方に向けて突出し、該立ち上がり壁部２の前面部の上端にシャワーヘッド１８を設け、該シャワーヘッド１８の上端を立ち上がり壁部２の上端面より僅かに低い位置に位置させてあるので、立ち上がり壁部２の前面の上下方向の下部、場合によっては中央部が水跳ねにより濡れることがあっても、立ち上がり壁部２の前面の下部や中央部の濡れた部分を拭く際に立ち上がり壁部２の前面に設けたシャワーヘッド１８に邪魔されることなく拭き取ることができる。また、シャワーヘッド１８が水跳ねにより濡れ難くて汚れが付着しにくくなり、したがって、シャワーヘッド１８の掃除をする頻度が少なくてよくなる。
【００６４】
上記例では洗面化粧台５の立ち上がり壁部２が取付け基台Ａとなっている例で説明したが、必ずしもこれにのみ限定されるものではなく、洗面化粧台５の他の部位が取付け基台Ａであってもよく、また、洗面化粧台５以外の水回り設備に引き出し自在なシャワーホース１７を用いる箇所が取付け基台Ａであってもよい。
【図面の簡単な説明】
【００６５】
【図１】本発明の一部破断面図である。
【図２】同上の立ち上がり部の上端面にミラーキャビネットの下面部の後端部を載置した例を示す断面図である。
【図３】同上のシャワーヘッドを引き出した状態の断面図である。
【図４】同上のミラーキャビネットの全体斜視図である。
【図５】（ａ）は同上の正面図であり、（ｂ）は同上の断面図である。
【図６】同上に用いるホースホルダーを示し、（ａ）は斜視図であり、（ｂ）は断面図である。
【図７】同上に用いるホースジョイントを示し、（ａ）は斜視図であり、（ｂ）は断面図であり、（ｃ）は正面図である。
【図８】同上のシャワーホースをホースジョイントに挿入して抜けないように取付けことを示す図面で、（ａ）は取付け前を示す断面図であり、（ｂ）は取付け状態を示す断面図である。
【図９】同上のホースジョイントをシャワーヘッドに取付けている状態の断面図である。
【図１０】同上の図９のＸ−Ｘ線の断面図である。
【図１１】同上に用いる止具を示す正面図である。
【図１２】シャワーヘッドの外郭部を示し、（ａ）は斜視図であり、（ｂ）は断面図であり、（ｃ）は正面図である。
【図１３】同上の洗面ボウルを示し、（ａ）は平面図であり、（ｂ）は正面図であり、（ｃ）は側面図である。
【図１４】同上の立ち上がり壁部の前面上端に吐水・止水操作部を取付けた実施形態の断面図である。
【図１５】同上の立ち上がり部の上端面にミラーキャビネットの下面部の後端部を載置した状態における吐水・止水操作部部分の断面図である。
【図１６】シャワーヘッドをホースホルダーに保持させた状態におけるボウル部への吐水方向を示す説明のための断面図である。
【符号の説明】
【００６６】
Ａ  取付け基部
１７  シャワーホース
１８  シャワーヘッド
２２  孔
２３  ホースホルダー
５９  溝
６０  着脱被係止部
６１  着脱係止部
６２  抜け止め部
６３  ホースジョイント
６４  筒部
６５  嵌め込み溝部
６６  抜け止め用突部
６７  引掛け部
６８  被引掛け部
６９  水路部
７０  差込口
７１  止具
７３  ホース挿通孔
【図１】
0005001766.tif 000002
【図２】
0005001766.tif 000003
【図３】
0005001766.tif 000004
【図４】
0005001766.tif 000005
【図５】
0005001766.tif 000006
【図６】
0005001766.tif 000007
【図７】
0005001766.tif 000008
【図８】
0005001766.tif 000009
【図９】
0005001766.tif 000010
【図１０】
0005001766.tif 000011
【図１１】
0005001766.tif 000012
【図１２】
0005001766.tif 000013
【図１３】
0005001766.tif 000014
【図１４】
0005001766.tif 000015
【図１５】
0005001766.tif 000016
【図１６】
0005001766.tif 000017